(57)【要約】  【課題】不揮発性メモリに設定記憶された庫内温度を制御する基準温度データが、庫内温度を制御するデータ範囲を超えていてもそのまま制御データとして使用されてしまい、庫内温度設定が異常な温度設定となってしまうのを防ぐことを目的とする。  【解決手段】制御設定基準値を設定記憶する不揮発性メモリである制御設定基準値記憶手段２を備え、制御設定基準値記憶手段２に設定記憶された制御設定基準値を基に制御設定値を求める時に制御設定範囲を超えた場合には所定の制御設定値にて運転制御し、庫内温度設定が異常な温度設定となってしまうことを防ぐことができる。【選択図】図１
2007017070.tif 000002
【特許請求の範囲】
【請求項１】
制御設定基準値を設定記憶する不揮発性メモリである制御設定基準値記憶手段を備えた冷蔵庫において、制御設定基準値記憶手段に設定記憶された制御設定基準値を基に制御設定値を求める時に制御設定範囲を超えた場合には所定の制御設定値にて運転制御する冷蔵庫の制御装置。
【請求項２】
前記制御設定基準値記憶手段に設定記憶された制御設定基準値を基に制御設定値を求める時に制御設定範囲を超えた場合には所定の運転パターンによる冷却運転を行う請求項１に記載の冷蔵庫の制御装置。
【請求項３】
表示手段を備え、前記制御設定基準値記憶手段に設定記憶する制御設定値を基に演算し制御設定値を求める時に制御設定範囲を超えた場合には強制運転制御していることを表示する請求項１または２に記載の冷蔵庫の制御装置。
【請求項４】
前記制御設定基準値記憶手段に設定記憶された制御設定基準値を一定周期毎に読込むことを特徴とする請求項１から３のいずれか一項に記載の冷蔵庫の制御装置。
【請求項５】
前記制御設定基準値記憶手段に設定記憶された制御設定基準値を一定周期毎に読込む時に読込めなかった場合に再度読込むことを特徴とする請求項１から４のいずれか一項に記載の冷蔵庫の制御装置。
【請求項６】
前記制御設定基準値記憶手段に設定記憶された制御設定基準値を一定周期毎に読込む時に設定回数読込めなかった場合に制御設定基準値読込み異常であることを検知することを特徴とする請求項１から５のいずれか一項に記載の冷蔵庫の制御装置。
【請求項７】
前記制御設定基準値記憶手段に設定記憶された制御設定基準値を一定周期毎に読込む時に設定回数読込めなかった場合に制御設定基準値読込み異常であることを表示することを特徴とする請求項１から６のいずれか一項に記載の冷蔵庫の制御装置。
【発明の詳細な説明】
【技術分野】
【０００１】
本発明は、冷蔵庫の制御設定値を設定記憶する不揮発性メモリを備え、不揮発性メモリに設定記憶された制御設定値により運転制御する制御装置を備えた冷蔵庫に関するものである。
【背景技術】
【０００２】
従来、この種の制御装置としては、不揮発性メモリに設定記憶された基準温度データにより運転制御するもの（例えば、特許文献１参照）がある。
【０００３】
以下、図面を参照しながら上記従来の冷蔵庫の制御装置を説明する。
【０００４】
図３は、従来の制御装置のブロック図を示している。図３に示すように従来の制御装置ではＣＰＵ１０１は不揮発性メモリＥ２ＰＲＯＭ１０２に設定記憶された基準温度データとサーミスタ１０３により検出される温度データと比較し冷熱制御装置１０４を制御し、何らかの要因（データ未書込みやデータ破壊）により前記Ｅ２ＰＲＯＭ内のデータが無い場合はＲＯＭ１０５内に予め記憶してある基準温度データで制御するというものであった。
【特許文献１】特開平５−５４２５３号公報
【発明の開示】
【発明が解決しようとする課題】
【０００５】
しかしながら、上記従来の構成では、不揮発性メモリに設定記憶された基準温度データが、データ未書込みやデータ破壊等による明らかにデータに不具合が有る場合は予め記憶してある基準温度データで制御するが、基準温度データがデータ未書込みやデータ破壊等による不具合ではないが、制御設定値としては不具合がある場合（制御設定値範囲を超えている）は、庫内温度を制御するデータ範囲を超えていてもそのまま制御データとして使用されてしまい、庫内温度設定が異常な温度設定となってしまうという課題を有していた。
【０００６】
本発明は従来の課題を解決するもので、不揮発性メモリに設定記憶された制御設定基準値を基に制御設定値を求める時に制御設定範囲を超えた場合には所定の制御設定値にて運転制御する冷蔵庫の制御装置を提供することを目的とする。
【課題を解決するための手段】
【０００７】
上記従来の課題を解決するために、本発明の冷蔵庫の制御装置は、制御設定基準値を設定記憶する不揮発性メモリである制御設定基準値記憶手段を備えた冷蔵庫において、制御設定基準値記憶手段に設定記憶された制御設定基準値を基に制御設定値を求める時に制御設定範囲を超えた場合には所定の制御設定値にて運転制御するように構成したものである。
【発明の効果】
【０００８】
本発明の冷蔵庫の制御装置は、制御設定基準値を設定記憶する制御設定基準値記憶手段を備えた冷蔵庫において、制御設定基準値記憶手段に設定記憶された制御設定基準値を基に制御設定値を求める時に制御設定範囲を超えた場合には所定の制御設定値にて運転制御することができる。
【発明を実施するための最良の形態】
【０００９】
請求項１に記載の発明は、制御設定基準値を設定記憶する制御設定基準値記憶手段を備えた冷蔵庫において、制御設定基準値記憶手段に設定記憶された制御設定基準値を基に制御設定値を求める時に制御設定範囲を超えた場合には所定の制御設定値にて運転制御するものであり、庫内温度設定が異常な温度設定となってしまうことを防ぐことができる。
【００１０】
請求項２に記載の発明は、請求項１に記載の発明において、前記制御設定基準値記憶手段に設定記憶された制御設定基準値を基に制御設定値を求める時に制御設定範囲を超えた場合には所定の運転パターンによる冷却運転を行うものであり、庫内を冷却することができる。
【００１１】
請求項３に記載の発明は、請求項１または２に記載の発明において、表示手段を備え、前記制御設定基準値記憶手段に設定記憶する制御設定値を基に制御設定値を求める時に制御設定範囲を超えた場合には強制運転制御していることを表示したものであり、使用者に知らせることができる。
【００１２】
請求項４に記載の発明は、請求項１から３のいずれか一項に記載の発明において、前記制御設定基準値記憶手段に設定記憶された制御設定基準値を一定周期毎に読込むものであり、制御設定基準読込み値のリフレッシュができる。
【００１３】
請求項５に記載の発明は、請求項１から４のいずれか一項に記載の発明において、前記制御設定基準値記憶手段に設定記憶された制御設定基準値を一定周期毎に読込む時に読込めなかった場合に再度読込むものであり、制御設定基準値を読込むことができる。
【００１４】
請求項６に記載の発明は、請求項１から５のいずれか一項に記載の発明において、前記制御設定基準値記憶手段に設定記憶された制御設定基準値を一定周期毎に読込む時に設定回数読込めなかった場合に制御設定基準値読込み異常であることを検知するものであり、確実に異常検知することができる。
【００１５】
請求項７に記載の発明は、請求項１から６のいずれか一項に記載の発明において、前記制御設定基準値記憶手段に設定記憶された制御設定基準値を一定周期毎に読込む時に設定回数読込めなかった場合に制御設定基準値読込み異常であることを表示するものであり、確実に異常を知らせることができる。
【００１６】
以下本発明の実施の形態について、図面を参照しながら説明する。なお、従来と同一構成については同一符号を付して詳細な説明を省略する。
【００１７】
（実施の形態１）
図１は、本発明の実施の形態１における冷蔵庫の制御装置のブロック図であり、図２は動作を示すフローチャートであり、以下図１、図２を参照しながら説明する。
【００１８】
図１において、庫内温度制御手段１は不揮発性メモリである制御設定基準値記憶手段２内に記憶された制御設定基準値を基に、制御設定値（冷却運転のＯＮ／ＯＦＦ設定温度）を設定し、設定温度になるように、温度センサ３による温度検出値に基づいて庫内ファン４や圧縮機５を制御し、制御設定値が範囲外の時に応急運転する設定値を記憶しているものである。
【００１９】
庫内ファン駆動手段６は庫内ファン４を駆動するものであり、圧縮機駆動手段７は圧縮機５を駆動するものである。表示手段８は制御設定基準値記憶手段２内の制御設定値を基に制御設定値を求める時に制御設定範囲を超えた場合には強制運転制御していることや、制御設定基準値記憶手段に設定記憶された制御設定基準値を一定周期毎に読込む時に設定回数読込めなかった場合に制御設定基準値読込み異常であることを表示装置９に表示するものである。
【００２０】
以上のように構成された冷蔵庫の制御装置において、図２を参照しながら動作説明を行う。まず、ステップ１００で庫内温度制御手段１は制御設定基準値記憶手段２から制御設定基準値の読み込みを行う。次にステップ１０１で読込みが完了していればステップ１０２に進み、読込んだ制御設定基準値を基に制御設定値（冷却運転のＯＮ／ＯＦＦ設定温度）を設定する。次にステップ１０３で制御設定値が設定範囲かどうかを判定する。（例えば冷凍室庫内温度を制御するための制御設定値範囲が−３０℃から−１０℃であれば−３０℃以下と−１０℃以上はありえない設定値として判定する。）ステップ１０３で設定範囲内であると判定すれば読込んだ制御設定値によりステップ１０４で冷却制御を行うように圧縮機駆動手段７により圧縮機５の運転し、庫内ファン駆動手段６により庫内ファン４を運転する。ステップ１０３で設定範囲外であると判定すればステップ１０５に進み、応急制御設定値を設定しステップ１０４で応急制御設定値により冷却制御を行うように圧縮機駆動手段７により圧縮機５の運転し、庫内ファン駆動手段６により庫内ファン４を運転する。
【００２１】
以上のように、制御設定基準値を設定記憶する不揮発性メモリである制御設定基準値記憶手段を備えた冷蔵庫において制御設定基準値記憶手段に設定記憶されたデータが、制御設定値としては不具合がある場合（制御設定値範囲を超えている）は、所定の制御設定値にて運転制御し、庫内温度を制御するデータ範囲を超えていてもそのまま制御データとして使用されてしまい、庫内温度設定が異常な温度設定となってしまうことを防ぐことができる。
【００２２】
また、ステップ１０３で設定範囲外であると判定すればステップ２００に進み、所定の冷却運転パターン（例えばＯＮ時間Ｔ１分、ＯＦＦ時間をＴ２分等応急的に庫内を冷却できる設定）を設定し、ステップ１０４で強制的にＯＮ／ＯＦＦ冷却制御を行うように圧縮機駆動手段７により圧縮機５の運転し、庫内ファン駆動手段６により庫内ファン４を運転する。
【００２３】
以上のように、前記制御設定基準値記憶手段に設定記憶された制御設定基準値を基に制御設定値を求める時に制御設定範囲を超えた場合には所定の運転パターンによる冷却運転を行い庫内を冷却することができる。
【００２４】
また、ステップ１０３で設定範囲外であると判定すればステップ３００に進み、制御設定値範囲外表示設定を行い、ステップ３０１で表示手段８により表示装置９に制御設定値が範囲外であり応急運転していることを表示する。
【００２５】
以上のように、表示手段を備え、前記制御設定基準値記憶手段に設定記憶する制御設定値を基に制御設定値を求める時に制御設定範囲を超えた場合には応急運転制御していることを表示し、知らせることができる。
【００２６】
また、ステップ４００で一定周期が経過したかどうかを判定し、経過していない場合ステップ４００で一定周期が経過したかどうかを判定を続ける。経過している場合はステップ１００で制御設定基準値の読込みを行う。
【００２７】
以上のように、制御設定基準値記憶手段に設定記憶された制御設定基準値を一定周期毎に読込むことで読込む処理時間を短縮し制御設定基準読込み値のリフレッシュができる。
【００２８】
また、ステップ４００で一定周期が経過したかどうかを判定し、経過している場合はステップ１００で制御設定基準値の読込みを行う。次にステップ１０１で読込み完了かを判定し、読込みが何らかの要因（データ未書込みやデータ破壊等）で読込めなかった場合は再度読込み設定を行う。
【００２９】
以上のように、制御設定基準値記憶手段に設定記憶された制御設定基準値を一定周期毎に読込む時に読込みできなかった場合に再度読込むことで一定周期を経過しなくとも制御設定基準値を読込むことができる。
【００３０】
また、ステップ１０１で読込み完了かを判定し、読込みが何らかの要因（データ未書込みやデータ破壊等）で読込めなかった場合は再度読込み設定を行い、ステップ６００で設定回数以上読込めなかった場合にステップ６０１に進み、制御設定基準値読込み異常設定を行う。
【００３１】
以上にように、制御設定基準値記憶手段に設定記憶された制御設定基準値を一定周期毎に読込む時に設定回数読込めなかった場合に制御設定基準値読込み異常であること検知することができる。
【００３２】
また、ステップ１０１で読込み完了かを判定し、読込みが何らかの要因（データ不具合等）で読込めなかった場合は再度読込み設定を行い、ステップ６００で設定回数以上読込めなかった場合にステップ７００に進み、制御設定基準値読込み異常表示設定を行う。次にステップ３０１で表示手段８により表示装置９に制御設定基準値読込みが異常であることを表示する。
【００３３】
以上にように、制御設定基準値記憶手段に設定記憶された制御設定基準値を一定周期毎に読込む時に設定回数読込めなかった場合に制御設定基準値読込み異常であることを表示し知らせることができる。
【産業上の利用可能性】
【００３４】
以上のように本発明にかかる冷蔵庫の制御装置は、不揮発性メモリに設定記憶された制御設定基準値を基に制御設定値を求める時に制御設定範囲を超えた場合には所定の制御設定値にて運転制御し、庫内温度設定が異常な温度設定となってしまうことを防ぐことができるので、制御設定基準値を設定記憶する不揮発性メモリを備えた機器全般に適用できる。
【図面の簡単な説明】
【００３５】
【図１】本発明による実施の形態１における冷蔵庫の制御装置のブロック図
【図２】本発明による実施の形態１における冷蔵庫の制御装置のフローチャート
【図３】従来の冷蔵庫の制御装置のブロック図
【符号の説明】
【００３６】
２  制御設定基準値記憶手段
８  表示手段
【図１】
2007017070.tif 000003
【図２】
2007017070.tif 000004
【図３】
2007017070.tif 000005